(57)【要約】【課題】隣接する表示器の輝度差を少なくして目立ちにくくする。【解決手段】表示用の光源を複数備える表示装置の調整方法であって、前記複数の光源の各々の累積通電時間を求めてこれらを定期的に比較し、この比較結果に基づいてもっと累積通電時間が長い光源の輝度を求めてその輝度を基準輝度に設定し、他の光源の輝度がこの基準輝度になるように他の光源の輝度を定期的に調整することを特徴とする表示装置の調整方法。【選択図】　　　　図１
2004029332.tif 000002
【特許請求の範囲】
【請求項１】
表示用の光源を複数備える表示装置の調整方法であって、前記複数の光源の各々の累積通電時間を求めてこれらを定期的に比較し、この比較結果に基づいて選択した光源の輝度を求めてその輝度を基準輝度に設定し、他の光源の輝度がこの基準輝度になるように他の光源の輝度を定期的に調整することを特徴とする表示装置の調整方法。
【請求項２】
表示用の光源を複数備える表示装置の調整方法であって、前記複数の光源の各々の累積通電時間を求めてこれらを定期的に比較し、この比較結果に基づいて選択した光源の色度を求めてその色度を基準色度に設定し、他の光源の色度がこの基準色度になるように他の光源の色度を定期的に調整することを特徴とする表示装置の調整方法。
【請求項３】
表示用の光源を複数備える表示装置の調整方法であって、前記複数の光源の各々の累積通電時間を求めてこれらを定期的に比較し、この比較結果に基づいて最も累積通電時間が長い光源の輝度を求めてその輝度を基準輝度に設定し、他の光源の輝度がこの基準輝度になるように他の光源の輝度を定期的に調整することを特徴とする表示装置の調整方法。
【請求項４】
複数の表示器とそれらと通信回線を介して接続された制御装置を備える表示装置において、
前記複数の表示器の各々は、表示用の光源と、この光源の輝度を調整する調整回路と、前記光源の輝度を計測するセンサーと、前記光源の累積通電時間を計測する計測手段とを備え、
前記制御装置は、前記通信回線を介して各表示器と通信し、前記計測手段の出力に基づいて各表示器の光源の累積通電時間を定期的に比較し、この比較結果に基づいて選択した表示器の光源の輝度を前記センサーの出力によって求めてこれを基準輝度として定期的に設定し、
各表示器は、その光源の輝度が前記基準輝度になるように光源輝度を前記調整回路によって調整することを特徴とする表示装置。
【請求項５】
複数の表示器とそれらと通信回線を介して接続された制御装置を備える表示装置において、
前記複数の表示器の各々は、表示用の光源と、この光源の色度を調整する調整回路と、前記光源の色度を計測するセンサーと、前記光源の累積通電時間を計測する計測手段とを備え、
前記制御装置は、前記通信回線を介して各表示器と通信し、前記計測手段の出力に基づいて各表示器の光源の累積通電時間を定期的に比較し、この比較結果に基づいて選択した表示器の光源の色度を前記センサーの出力によって求めてこれを基準色度として定期的に設定し、
各表示器は、その光源の色度が前記基準色度になるように光源色度を前記調整回路によって調整することを特徴とする表示装置。
【発明の詳細な説明】
【０００１】
【発明の属する技術分野】
本発明は、複数の表示器を隣接して配置したマルチディスプレイ型の表示装置に係り、特に、表示用の光源を複数備える表示装置とその調整方法に関する。
【０００２】
【従来の技術】
複数の表示器を隣接して配置したマルチディスプレイ型の表示装置においては、隣接した表示器の間に輝度や色度の差があると、表示品位に悪影響を与える。
複数の表示器に別々の表示を行う場合は比較的目立ちにくいが、複数の表示器に同一の表示を行う場合や、複数の表示器で１つの画面を表示する場合は、隣接する表示器の輝度や色度に差があると、それが目立ちやすい。
【０００３】
これら表示器間に現れるムラを個々に調整することも可能であるが、表示器のバックライトに用いる光源の輝度や色度は時間経過とともに減少し、表示器の点灯時間に応じてムラにも変化が生じるので、その調整の作業は面倒である。
【０００４】
【発明が解決しようとする課題】
隣接する表示器の輝度や色度の差を少なくして目立ちにくくすることを課題の１つとする。また、その調整の作業性を高めることを課題の１つとする。
【０００５】
【課題を解決するための手段】
本発明の表示装置の調整方法は、請求項１に記載のように、表示用の光源を複数備える表示装置の調整方法であって、前記複数の光源の各々の累積通電時間を求めてこれらを定期的に比較し、この比較結果に基づいて選択した光源の輝度を求めてその輝度を基準輝度に設定し、他の光源の輝度がこの基準輝度になるように他の光源の輝度を定期的に調整することを特徴とする。
【０００６】
本発明の表示装置の調整方法は、請求項２に記載のように、表示用の光源を複数備える表示装置の調整方法であって、前記複数の光源の各々の累積通電時間を求めてこれらを定期的に比較し、この比較結果に基づいて選択した光源の色度を求めてその色度を基準色度に設定し、他の光源の色度がこの基準色度になるように他の光源の色度を定期的に調整することを特徴とする。
【０００７】
本発明の表示装置の調整方法は、請求項３に記載のように、表示用の光源を複数備える表示装置の調整方法であって、前記複数の光源の各々の累積通電時間を求めてこれらを定期的に比較し、この比較結果に基づいて最も累積通電時間が長い光源の輝度を求めてその輝度を基準輝度に設定し、他の光源の輝度がこの基準輝度になるように他の光源の輝度を定期的に調整することを特徴とする。
【０００８】
本発明の表示装置は請求項４に記載のように、複数の表示器とそれらと通信回線を介して接続された制御装置を備える表示装置において、
前記複数の表示器の各々は、表示用の光源と、この光源の輝度を調整する調整回路と、前記光源の輝度を計測するセンサーと、前記光源の累積通電時間を計測する計測手段とを備え、
前記制御装置は、前記通信回線を介して各表示器と通信し、前記計測手段の出力に基づいて各表示器の光源の累積通電時間を定期的に比較し、この比較結果に基づいて選択した表示器の光源の輝度を前記センサーの出力によって求めてこれを基準輝度として定期的に設定し、
各表示器は、その光源の輝度が前記基準輝度になるように光源輝度を前記調整回路によって調整することを特徴とする。
【０００９】
本発明の表示装置は請求項５に記載のように、複数の表示器とそれらと通信回線を介して接続された制御装置を備える表示装置において、
前記複数の表示器の各々は、表示用の光源と、この光源の色度を調整する調整回路と、前記光源の色度を計測するセンサーと、前記光源の累積通電時間を計測する計測手段とを備え、
前記制御装置は、前記通信回線を介して各表示器と通信し、前記計測手段の出力に基づいて各表示器の光源の累積通電時間を定期的に比較し、この比較結果に基づいて選択した表示器の光源の色度を前記センサーの出力によって求めてこれを基準色度として定期的に設定し、
各表示器は、その光源の色度が前記基準色度になるように光源色度を前記調整回路によって調整することを特徴とする。
【００１０】
【発明の実施の形態】
以下本発明の実施形態を図面を参照して説明する。図１は本発明が実施された表示装置１のブロック図、図２は表示装置を構成する１つの表示器２のブロック図である。
【００１１】
表示装置１は、同一構成の複数の表示器２をマトリックス状に配置して備えている。この例では、縦横に２個ずつ表示器２を配列して表示装置１を構成しているが、縦横に３個ずつ表示器２を配列するなど、縦と横のいずれかに複数の表示器２を配列したマトリックス状の配列であればよい。
【００１２】
各表示器２は、通信回線３を介して制御装置４と接続している。制御装置４は、専用の装置で構成することもできるが、通信機能を有するパーソナルコンピュータなどの汎用の装置を利用して構成することができる。
【００１３】
表示器２は、バックライトを備える表示器で構成している。この例では、液晶パネルの背面にバックライトを配置した液晶表示器によって表示器２を構成しているが、それ以外の構成の表示器を用いることができる。
【００１４】
バックライトは、表示パネルの直下に複数の光源を配置した直下型のものや、導光板の側面に光源を配置したエッジライト型のものを用いることができる。
【００１５】
各表示器２は、表示部５と回路部６を備えている。表示部５は、表示パネルとその背面照明を行うバックライトを含んで構成される。回路部６は、制御装置４と信号の授受を行う通信機能を備え、制御装置４から送られてくる各種の信号に基づいて表示部５を制御し、表示部５に画像を表示させる。
【００１６】
バックライトはその光源として、１本あるいは複数本の冷陰極管などで構成される光源７を備えている。この光源７は、駆動回路８によって駆動される。駆動回路８は電源回路９より電源供給を受け、調節回路１０の出力によって制御される。電源回路９は、光源７以外にも表示器２の各部に各種の電源を供給する。
【００１７】
駆動回路８に接続した計測手段１１によって光源７の通電時間と累積通電時間が計測される。計測手段１１によって計測された光源の通電時間や累積通電時間は、制御部１２に取り込まれる。
【００１８】
光源７の近傍には光源７の明るさに関する情報を求めるためのセンサー１３が配置されている。この例では、センサー１３によって光源７の基準位置における輝度を求めているが、明るさに関するその他の情報、例えば色度をセンサー１３によって求めるようにしても良い。
【００１９】
センサー１３によって求めた輝度情報は、比較手段１４によって基準輝度と比較される。この基準輝度に関する情報は、メモリ１５に記憶され制御部１２の出力によって定期的に更新される。メモリ１５は、制御部１２に内蔵させることができる。
【００２０】
比較手段１４の出力と、制御部１２の出力に基づいて、調整回路１０が駆動回路８を制御し、光源７の輝度を調整する。光源７の輝度は、光源７の駆動電流を制御することにより調整することができ、駆動電流に比例して変化させることができる。光源７の輝度は、駆動電圧や駆動周波数を制御することによっても調整することができる。
【００２１】
制御部１２は、通信回線３を介して制御装置４と信号の授受を行うための通信回路１６を内蔵している。制御装置４より送られてきた信号に基づき、制御部１２は表示パネルに付属した表示駆動回路１７に表示用の信号を送り、画像を表示部５に表示させる。
【００２２】
上記構成の表示装置１の動作を以下説明する。表示装置１は、制御装置４が通信回線３を介して個々の表示器２を制御することによって、各表示器２を個別に点灯させたり、個別に消灯させたりすることができる。さらに、表示装置１は、各表示器２に別々の画像を表示させることができるとともに、各表示器２に同一の画像を表示させることもできる。各表示器２は、それぞれ他の表示器２と区別するためのアドレスが設定され、このアドレスに基づいて制御装置４と通信し、信号の授受を行うことができる。
【００２３】
制御装置４は、定期的に各表示器２からその光源７の累計通電時間に関する情報を収集する。この情報収集は、制御装置４が備えるタイマーあるいは時計機能にしたがって自動的に行われる。光源７の通電時間や累積通電時間は、駆動回路８の出力に基づいて計測手段１１が計測する。計測手段１１が計測した累積通電時間は、制御部１２に与えられる。計測手段１１は、制御部１２に内蔵させることもできる。
【００２４】
制御装置４は、各表示器２から集めた光源の累積通電時間を比較する。この比較結果に基づいて、累積通電時間の順位付けを行う。累積通電時間に基づいて、この例では、最も累積通電時間が長い表示器２を選び出す。そして、この選び出された表示器２が基準表示器とみなされる。基準表示器の光源７の輝度が、そのセンサー１３によって求められ、制御装置４に送られる。制御装置４は、この基準表示器２の輝度を基準輝度とし、各表示器２の基準輝度を記憶するためのメモリ１５に記憶させる。
【００２５】
各表示器２は、メモリ１５に記憶設定された基準輝度とセンサー１３によって求めた光源７の輝度を比較手段１４によって定期的に比較する。調整回路１０は、この比較手段１４の出力に基づいて、光源７の輝度が基準輝度になるように駆動回路８を制御し、光源７の輝度を調整する。調整回路１０は、比較手段１４の出力のみならず、制御部１２の出力によっても駆動回路８を制御可能としている。
【００２６】
比較手段１４による比較動作と、制御部１２によるメモリ１５の基準輝度の変更動作は、同期して、例えば１対１の対応関係をもつように行っても良いし、互いに独立して行うようにしても良い。
【００２７】
このようにして、複数の表示器２の各々の各光源７は、累計通電時間が最も長い光源７の輝度に各々の輝度が揃うように調整される。一般に、累計通電時間が長くなればなるほど光源の輝度は低下するので、最も輝度が低い光源の輝度に他の光源の輝度が揃うことになる。光源の輝度低下速度は、光源の輝度が高いほど早いので、低い輝度の光源に他の光源の輝度を揃えることによって、光源の寿命を延ばすことができる。光源７の寿命が延びることによって、光源７の交換頻度を少なくすることができる。
【００２８】
上記実施形態は、累積通電時間が最も長い光源を備える表示器２の光源輝度を基準輝度に設定したが、これに限られるものではなく、２番目に累積通電時間が長い光源を備える表示器など、予め定めた条件を満たす表示器２の光源輝度を基準輝度に設定することができる。
【００２９】
また　暗い光源の輝度に他の光源の輝度を揃えるために、累積通電時間の比較に代えて、センサー１３で求めた各光源７の輝度比較を採用することもできる。
すなわち、複数の表示器２の各々の光源７の輝度をセンサー１３の出力によって、定期的に比較し、予め定めた条件、この例では最も低い輝度の光源７を有する表示器２を選び出すことができる。そして、この選び出された表示器２が基準表示器とみなされる。この基準表示器の光源７の輝度情報が制御装置４に送られる。制御装置４は、この基準表示器の輝度を基準輝度とし、各表示器２の基準輝度を記憶するためのメモリにこの基準輝度を記憶させる。以後は、上記と同様に制御される。
【００３０】
また、上記実施形態は、複数の表示器２の各々に配置した光源７の輝度調整を行う場合を例示したが、１つの表示器２のバックライト用光源として複数の光源を配置した表示器（表示装置）の各光源にも、適用することができる。この場合は、バックライト内の各々の光源の輝度を測定するためのセンサーをバックライトに設ける必要がある。
【００３１】
また、上記実施形態は各表示器２の輝度を揃える場合を例示したが、輝度以外にも色度などの他のパラメータを測定してそれらを揃えるようにしても良い。色度をパラメータとする場合は、上記実施形態の「輝度」に関する部分を「色度」と読み替えればよい。
【００３２】
【発明の効果】
以上のように、本発明によれば複数の表示器の輝度あるいは色度が同じに設定されるので、各表示器間の輝度や色度ムラを抑制することができる。さらに、輝度や色度の低い光源の輝度や色度に他の光源の輝度や色度をそろえることによって、光源の寿命を延ばすことができ、光源の交換頻度を少なくすることができる。
【図面の簡単な説明】
【図１】本発明の表示装置の実施形態を示すブロック図である。
【図２】同実施形態における表示器のブロック図である。
【符号の説明】
１　制御装置
２　表示器
３　通信回線
４　制御装置
７　光源
【図１】
2004029332.tif 000003
【図２】
2004029332.tif 000004